(57)【要約】【課題】  調光板の透過調整の移動が精度よくできるように支持できる。【解決手段】  光学特性が第１の方向に沿って変化する複数の第１の調光領域を、前記第１の方向に繰り返し備えた第１の調光板１１と、前記第１の調光板に対向するように配置され、前記第１の調光領域に対応する複数の第２の調光領域を、前記第１の方向に対応する第２の方向に繰り返し備えた第２の調光板１２と、前記第１の調光板及び前記第２の調光板を載せる基準面を有する支持部材２１と、を備え、前記基準面上２１ｄにおいて前記第１の調光板１１と前記第２の調光板１２とが相対移動する。【選択図】図１
2017187614.tif 000002
【特許請求の範囲】
【請求項１】
光学特性が第１の方向に沿って変化する複数の第１の調光領域を、前記第１の方向に繰り返し備えた第１の調光板と、
前記第１の調光板に対向するように配置され、前記第１の調光領域に対応する複数の第２の調光領域を、前記第１の方向に対応する第２の方向に繰り返し備えた第２の調光板と、
前記第１の調光板及び前記第２の調光板を載せる基準面を有する支持部材と、を備え、
前記基準面上において前記第１の調光板と前記第２の調光板とが相対移動する、
調光装置。
【請求項２】
前記第１の調光板と第２の調光板とが前記第１の方向に沿って相対移動する、
請求項１記載の調光装置。
【請求項３】
少なくとも前記第１の調光板の下端部及び前記支持部材の間に、前記基準面上での前記第１の調光板の滑り具合を調整する滑り調整部材を有する、
請求項１又は２記載の調光装置。
【請求項４】
前記第１の調光板及び前記第２の調光板の間に、前記第１の調光板及び前記第２の調光板の隙間を調整する隙間調整部材を有する、
請求項１〜３のいずれか１項記載の調光装置。
【請求項５】
前記第１の調光板は、第１の基板と、前記第１の透基板に配置され、前記第１の基板の外形よりも小さい第１の光学フィルムとを含み、
前記第２の調光板は、第２の基板と、前記第２の基板に配置され、前記第２の基板の外形よりも小さい第２の光学フィルムとを含む、
請求項１〜５のいずれか１項記載の調光装置。
【請求項６】
前記隙間調整部材は、前記第１の調光板又は前記第２の調光板に配置され、かつ、前記第１の光学フィルム又は前記第２の光学フィルムの少なくとも下側縁部を覆うように配置されている、
請求項５記載の調光装置。
【請求項７】
前記滑り調整部材は、前記第１の調光板の下側縁部に延長して配置され、かつ、前記第１の光学フィルムの下側縁部を覆うように配置される、
請求項６記載の調光装置。
【請求項８】
前記支持部材は前記基準面から突出する第１の壁部及び第２の壁部を含み、
前記第１の壁部及び前記第２の壁部の間に前記第１の調光板及び前記第２の調光板が配置される、
請求項１〜７のいずれか１項記載の調光装置。
【請求項９】
前記支持部は、前記基準面から突出する第３の壁部をさらに含み、
前記第３の壁部は、前記第１の調光板及び前記第２の調光板の間に位置する、
請求項８記載の調光装置。
【請求項１０】
前記基準面を基準にしたとき、前記第１の壁部及び前記第２の壁部の上端は前記隙間調整部材の上端よりも高い、
請求項４〜９のいずれか１項記載の調光装置。
【発明の詳細な説明】
【技術分野】
【０００１】
本発明は、対向する一対の調光板により光の透過を制御する調光装置に関するものである。
【背景技術】
【０００２】
対向するように一対の調光板を保持し、この調光板をスライドさせて重なり合う部位を変化させることにより、透過光を制御して調光を図る調光装置が提案されている（特許文献１〜４）。このような調光装置では、面内遅相軸の方向及び位相差の少なくとも一方が互いに異なる領域が調光板に繰り返し設けられ、これにより一対の調光板の間でこの領域の重なり合いを変化させて光の透過率を制御する。
【０００３】
この種の調光装置１では、例えば図１３に示すように、直線偏光板２と位相差層３との積層により調光板４が形成され、また同様の直線偏光板５と位相差層６との積層により調光板７が形成される。直線偏光板２及び５は、矢印により透過軸方向を示すように、例えばクロスニコル配置により配置される。位相差層３及び６には、一定幅による帯状領域ａ、ｂによりパターニングされて形成されている。帯状領域ａは、直線偏光板２の透過軸に対してその遅相軸方向が＋４５°となる領域であり、一方、帯状領域ｂは−４５°となる領域であり、これら２つの領域が調光板４、７の面内に繰返し形成されている。以下において、この帯状領域ａと帯状領域ｂとによる領域のように、繰り返し設けられる調光に供する基本単位の領域を調光領域と呼ぶ。
【０００４】
調光装置１では、矢印Ｓにより示すように、調光板４又は７をスライドさせて、調光板４及び７の重なり合いを変化させることにより、光の透過率を調整することができる。
【先行技術文献】
【特許文献】
【０００５】
【特許文献１】特開２０１３−９２７０７号公報
【特許文献２】特開平９−３１０５６７号公報
【特許文献３】特表２０１４−５０７６７６号公報
【特許文献４】米国特許第８３１０７５７号明細書
【発明の概要】
【発明が解決しようとする課題】
【０００６】
上述する従来の調光装置では、一対の調光板４，７を、矢印Ｓ方向に正確かつ容易に移動できるような支持構造が開示されていなかった。
【０００７】
本発明の目的は、調光板の透過調整の移動が精度よくできるように支持できる調光装置を提供することである。
【課題を解決するための手段】
【０００８】
（１）  光学特性が第１の方向に沿って変化する複数の第１の調光領域を、前記第１の方向に繰り返し備えた第１の調光板と、
前記第１の調光板に対向するように配置され、前記第１の調光領域に対応する複数の第２の調光領域を、前記第１の方向に対応する第２の方向に繰り返し備えた第２の調光板と、
前記第１の調光板及び前記第２の調光板を載せる基準面を有する支持部材と、を備え、
前記基準面上において前記第１の調光板と前記第２の調光板とが相対移動する、調光装置。
【発明の効果】
【０００９】
本発明によれば、調光板の透過調整の移動が精度よくできるように支持できる。
【図面の簡単な説明】
【００１０】
【図１】本発明の一実施形態に係る調光装置を示す図である。
【図２】調光装置を説明する図である。
【図３】調光板を説明する図である。
【図４】調光板の他の例を示す図である。
【図５】他の実施形態に係る調光装置のスライダ（滑り調整部材）とスペーサ（隙間調整部材）を説明する図である。
【図６】他の実施形態に係る調光装置のスライダ（滑り調整部材）とスペーサ（隙間調整部材）を説明する図である。
【図７】他の実施形態に係る調光装置のスライダ（滑り調整部材）とスペーサ（隙間調整部材）を説明する図である。
【図８】他の実施形態に係る調光装置のスライダ（滑り調整部材）とスペーサ（隙間調整部材）を説明する図である。
【図９】他の実施形態に係る調光装置のスペーサ（隙間調整部材）を説明する図である。
【図１０】他の実施形態に係る調光装置のフレーム（支持部材）を説明する断面図である。
【図１１】他の実施形態に係る調光装置のフレーム（支持部材）を説明する断面図である。
【図１２】他の実施形態に係る調光板の光学フィルム、スペーサ、スライダ、壁部の関係を説明する断面図である。
【図１３】ＡＢＳ樹脂の削り出しによって作製したフレームを説明する断面図である。
【図１４】ＡＢＳ樹脂の削り出しによって作製したフレームを説明する断面図である。
【発明を実施するための形態】
【００１１】
［調光装置の概要］
図１は、本発明の第１実施形態に係る調光装置を説明する分解斜視図である。
この調光装置１０は、図１（Ａ）に示すように、一対の調光板１１（第１の調光板）、調光板１２（第２の調光板）を対向するように配置され、この一対の調光板１１、１２の少なくとも一方をスライドの方向Ｓにスライドさせて調光板１１、１２間で重なり合う部位を変化させることにより、光の透過率を制御する。図１では、スライド方向Ｓが調光板１１、１２の表面に沿うように設定されているが、これに限らず、スライド方向Ｓが調光板１１、１２の表面に非平行に交差するように設定されていてもよい。
【００１２】
調光板１１、１２は、図１（Ｂ）に示すように、重ねられた状態で、フレーム２１、２２、２３、２４によって、４辺が保持されている。フレーム２１〜２４は、コーナー部をジョイント２５、２６、２７、２８で接続され、調光板１１、１２の４辺を保持する枠体となっており、後述する図１４の構造に比較して組立性がよい。
フレーム２１〜２４は、図１（Ａ）に示すように、レール部材２１Ａと、レール部材２１Ａを支持する中空四角柱状のべース部材２１Ｂを接合した構造である。フレーム２１〜２４は、金属、樹脂、木材等により構成することができる。例えば、レール部材２１Ａ、ベース部材２１Ｂはアルミニウムを押出し成形することにより作製することができる。支持部材をアルミニウムにより形成されたレール部材２１Ａ、中空四角柱状のベース部材２１Ｂに構成することにより、軽量かつ安価に調光装置を作製することができる。
【００１３】
レール部材２１Ａは、基部２１ａの基準面２１ｄから突出する第１の壁部２１ｂ及び第２の壁部２１ｃを備えている。この第１の壁部２１ｂ及び第２の壁部２１ｃの間に、調光板１１及び調光板１２を重ねた状態で、それらの端部が挿入されている。一対の調光板１１，１２は、第１の壁部２１ｂ及び第２の壁部２１ｃの間に挿入されることにより、板間の間隙を調整するとともに、フレーム２１から外れるのを防止することができる。
このレール部材２１Ａは、調光板１１、１２を同じ基準面２１ｂで相対移動可能に支持する部材（支持部材）である。調光板１１、１２は、レール部材２１Ａの同じ基準面２１ｄ上に置かれることにより、位置精度よく設置することができ、透過率の調整を良く行うことができる。例えば、透明時にスジが見えるのを低減でき、遮光時の光漏れも少なくすることができる。
【００１４】
図１（Ｃ）に示すように、調光板１１、１２の端部には、スライダ（滑り調整部材）３１、３２が貼り付けられている。スライダ３１、３２は、調光板１１、１２と、フレーム２１の壁部２１ｂ，２１ｃとの滑りやすさを調整する滑り調整部材の役割をはたしている。
ただし、風などで軽く滑って移動して調光が変化してしまうのを防止するために、適度の摩擦力も付与している。このため、スライダ３１、３２は、表面にエンボス形状や、プリズム形状等が形成されたシートを用いることができる。例えば、スライダ３１，３２が基準面２１ｄと接する面は、極力滑りやすくなるように材料を選び、壁部２１ｂ，２１ｃと接する面に上記エンボス形状やプリズム形状を形成するようにしてもよい。
【００１５】
スライダ３１、３２は、調光板１１、１２の端部がレール部材２１Ａの壁部２１ｂ，２１ｃと直接触れるのを防止して、傷の発生を抑制する保護部材としての役割も果たしている。スライダ３１、３２は、端部の表側面、内側面及び厚み部分を被覆している。スライダ３１、３２は、例えば、ＡＢＳ樹脂等のテープを用いることができ、基本的には、調光板１１，１２に直接貼り付けられている。スライダ３１、３２は、調光板１１，１２に貼付した例で示してあるが、フレーム２１の凹溝の内側に貼ってもよい。
【００１６】
スライダ３１は、調光板１１の内側面（調光板１２に対向する面）に直接貼り付けられておらず、スペーサ（隙間調整部材）３３を挟んで貼り付けられている。
スペーサ３３は、２枚の調光板１１，１２の間に配置されることにより、調光板１１，１２同士を所望の間隔に調整することができ、２枚の調光板１１，１２が接触して傷付くことを防止する働きをしている。このスペーサ３３は、薄いアルミ板、ガラス板、樹脂板等を使用することができる。スペーサ３３の厚みは、２枚の調光板１１，１２の歪み、厚み、大きさ等の要因を考慮して両者が接触しない程度の値に設定することができ、例えば、０．１ｍｍ〜１ｍｍの範囲としてもよい。このような数値範囲とすることにより、２枚の調光板１１，１２が接触するのを防止することができるとともに、斜視時の光漏れを軽減することができる。
【００１７】
［調光板の保持機構］
つぎに、本実施形態のフレーム２１〜２４について、図１４のフレーム６１〜６３と比較しながら、利点を説明する。
図１４は、ＡＢＳ樹脂の削り出しによって作製したフレームを説明する断面図である。
調光装置６０は、第１の調光板１１’、第２の調光板１２’をそれぞれ第１のフレーム６１、第２のフレーム６２により保持する。すなわち、図１４に断面形状を示すように、第１のフレーム６１、第２のフレーム６２は、それぞれ第１の調光板１１’、第２の調光板１２’を囲む枠形状により形成され、さらに第１の調光板１１’、第２の調光板１２’の周辺部を保持する段差がこの枠形状に係る内側面に形成される。これにより第１のフレーム６１、第２のフレーム６２は、第１の調光板１１’、第２の調光板１２’をそれぞれ収容する凹部がこの段差により形成され、第１の調光板１１’、第２の調光板１２’への入射光を遮ることの無いように、この段差による凹部に開口が形成される。第１のフレーム６１、第２のフレーム６２は、この凹部にそれぞれ第１の調光板１１’、第２の調光板１２’が配置されて接着剤等により固定される。
【００１８】
調光装置６０は、第２の調光板１２’を配置してなる第２のフレーム６２と、カバーフレーム６３とにより、第１の調光板１１’を配置してなる第１のフレーム６１を、スライド方向Ｓにスライド可能に挟持して構成される。ここでカバーフレーム６３は、第２のフレーム６２に対応する大きさによる枠形状により形成され、第２のフレーム６２側の、枠形状に係る内側面に、第１のフレーム６１を収納する段差が設けられる。これにより、調光装置６０は、この段差に係る凹部に、調光板１１’を配置してなるフレーム６１をスライド可能に収納した後、調光板１２’を配置してなる第２のフレーム６２と積層して作製される。調光板１１’、１２’は互いに異なる面上に置かれ、かつ、調光板１１’及び第１のフレーム６１と調光板１２’及び第２のフレーム６２はさらに別の面上に置かれている。これにより、調光板１１’と調光板１２’の位置合わせの難易度が高い構造となっている。調光板１１’がフレーム６１に、調光板１２’が第２のフレーム６２にそれぞれ載っているので、調光板１１’、１２’の角度誤差が累積しやすい。
これに対して、本実施形態のフレーム２１〜２４（とりわけフレーム２１）は、基準面２１ｄ（同一面）に調光板１１，１２を載せることにより、調光板１１，１２の組立精度が向上する。特に、フレーム２１〜２４をアルミ押出しで形成することにより、成形精度（特に、直進性）が良好となる。また、押し出し成形であるので、フレーム２１〜２４の基部２１ａの基準面２１ｄの直進性が良くなり、調光板１１，１２の組立精度がさらに向上する。なお、図２の透明基板１３，１７に対する偏向板１４，１８及び位相差層１５，１９の貼り付け精度はかなり高くすることができる。従って、調光板１１，１２の位相差フィルムの角度調整が不要となる場合がある。
なお、ＡＢＳ樹脂を切削加工する場合に、フレーム２１のような凹溝を形成できない。凹溝形状を作ろうとする場合には、板材をつなぎ合わせなければならず、一体成型の凹溝が、作れない。この構造では、精度ずれがかなり大きくなってしまう。金型を作って凹溝付きの樹脂フレームを成型する場合には、金型代が高価で実用的ではない。
【００１９】
（信頼性）フレーム６１〜６３は、ＡＢＳ樹脂製であるから、高温多湿下で樹脂の反りが発生する可能性があり、向かいあっている調光板１１’，１２’の位相差フィルム同士の擦れに対しての信頼性が低い。これに対して、本実施形態のフレーム２１〜２４は、アルミの線膨張係数が低いので、反りを抑制でき、調光板１１，１２の位相差フィルムの擦れを防止することができる。
（剛性、強度）本実施形態のアルミ製のフレーム２１〜２４は、ＡＢＳ樹脂製のフレーム６１〜６３に比較して、剛性、強度が高く、窓やパーティション等に好適に使用できる。
【００２０】
［調光板の概要］
図２は、一対の調光板１１、１２の構成を詳細に示す図である。第１の調光板１１は、透明基板１３に、第１の偏光層１４、第１の位相差層１５を積層配置して形成される。透明基板１３は、例えば、平板状のガラス板、アクリル板等により構成される。
【００２１】
第１の偏光層１４は、直線偏光板として機能する光学機能層である。この実施形態は、例えばポリビニルアルコール（ＰＶＡ）によるフィルム材に、ヨウ素化合物分子を吸着配向させて第１の偏光層１４が作製され、この第１の偏光層１４を例えばＴＡＣ（Ｔｒｉａｃｅｔｙｌｃｅｌｌｕｌｏｓｅ）等による透明フィルムからなる基材により挟持してシート・ポラライザーによる直線偏光板１４Ａが作製される。第１の偏光層１４は、この直線偏光板１４Ａを光硬化性樹脂等による接着剤層により透明基板１３に貼合して配置される。なおこれにより基材を省略して第１の偏光層１４のみを配置してもよい。またシート・ポラライザーによる直線偏光板に代えてワイヤーグリッド型の直線偏光板、塗工型の直線偏光板等、種々の構成を適用することができる。
【００２２】
第１の位相差層１５は、第１の偏光層１４に積層して配置される。例えば、第１の位相差層１５を備えてなる位相差フィルム１５Ａを光硬化性樹脂等による接着剤層により第１の偏光層１４に貼合する。なお、第１の偏光層１４と透明基板１３との積層体に配置してもよく、第１の偏光層１４と積層した後、透明基板１３と積層してもよい。ここで位相差フィルム１５Ａは、ＴＡＣ等による透明フィルム材にパターンニングしてなる配向層を作製し、この配向層の配向規制力により液晶材料を配向させた状態で硬化して第１の位相差層１５が作製される。ここで配向層は、ラビング処理により作製してもよく、光配向層を適用しても良く、賦型処理によりライン状凹凸形状を作製して作製してもよい。なお位相差層１５を第１の偏光層１４に積層した後、基材を剥離して取り除くことにより、第１の位相差層１５のみを積層してもよい。
【００２３】
第２の調光板１２は、第１の調光板１１と同様に、直線偏光板１８Ａ、位相差フィルム１９Ａの積層により、透明基板１７に第２の偏光層１８、第２の位相差層１９を積層して形成される。図２に示すよう、第１の調光板１１から第２の調光板１２に入射する光の光路において、第１の偏光層１４、第１の位相差層１５、第２の位相差層１９、第２の偏光層１８の順に配置される。
【００２４】
第１の偏光層１４、第２の偏光層１８は、例えば、互いにクロスニコルの関係となるように配置される。図２では、第１の偏光層１４、第２の偏光層１８のそれぞれの透過軸が矢印により模式的に示されている。
【００２５】
図３に示すように、第１の位相差層１５には、互いに遅相軸が異なる第１の位相差領域Ａ１及び第２の位相差領域Ｂ１が、第１の方向Ｄ１に沿って交互に形成されている。第１の位相差領域Ａ１及び第２の位相差領域Ｂ１は、第１の方向Ｄ１に直交する方向に帯状に延びるように形成されている。後述する角度調整部により、第１の方向Ｄ１は、スライド方向Ｓと略平行になっている。第１の調光板１１は、第１の位相差領域Ａ１及び第２の位相差領域Ｂ１を一単位とする、複数の第１の調光領域ＡＲ１を有する。したがって、第１の調光板１１は、第１の方向Ｄ１に沿って光学特性が変化する。
【００２６】
同様に、第２の位相差層１９には、互いに遅相軸が異なる第２の位相差領域Ａ２及び第２の位相差領域Ｂ２が、第２の方向Ｄ２に沿って交互に形成されている。第３の位相差領域Ａ２及び第４の位相差領域Ｂ２は、第２の方向Ｄ２に直交する方向に帯状に延びるように形成されている。後述する角度調整部により、第２の方向Ｄ２は、第１の方向Ｄ１と略平行になっている。本明細書の中では、第１、第２の方向を呼称する場面において、その方向をスライド方向と呼ぶことがある。第２の調光板１２は、第３の位相差領域Ａ２及び第４の位相差領域Ｂ２を一単位とする、複数の第２の調光領域ＡＲ２を有する。したがって、第２の調光板１２は、第２の方向Ｄ２に沿って光学特性が変化する。
【００２７】
第１の調光板１１、第２の調光板１２は、例えば、平面視、矩形形状により形成され、調光装置１０では、この矩形形状の１辺の延長方向がスライド方向Ｓに設定される。
【００２８】
第１の位相差領域Ａ１及び第２の位相差領域Ｂ１は、第１の偏光層１４の透過軸方向及び吸収軸方向に対して、第１の偏光層１４の側より見て、互いに遅相軸方向が異なる。例えば、遅相軸が、第１の偏光層１４の透過軸に対して時計方向及び反時計方向にそれぞれ４５度の角度を成す関係となるように設定される。同様に、第３の位相差領域Ａ２及び第４の位相差領域Ｂ２は、第２の偏光層１８の透過軸方向及び吸収軸方向に対して、第２の偏光層１８の側より見て、互いに遅相軸方向が異なる。例えば、遅相軸が、第２の偏光層１８の透過軸に対して時計方向及び反時計方向にそれぞれ４５度の角度を成す関係となるように設定される。なお図３においては、説明のため、各領域Ａ１、Ａ２、Ｂ１、Ｂ２における遅相軸方向を斜めの直線により示す。また第１の位相差層１５、第２の位相差層１９は、透過光に１／４波長の位相差を付与して１／４波長位相差層として機能する厚みにより作製される。なお第１の位相差層１５、第２の位相差層１９の厚みは、実用上充分な範囲で１／４波長とは異なる位相差を付与する厚みにより作製してもよい。
【００２９】
例えば、第１の調光板１１側から光が入射する場合、第１の偏光層１４により直線偏光となった光を、第１の位相差領域Ａ１、第２の位相差領域Ｂ１で回転方向がそれぞれ逆向きの円偏光に変換して出射する。そして、第３の位相差領域Ａ２、第４の位相差領域Ｂ２により、位相差を付与して元の直線偏光、又はこれと９０度偏光方向の異なる直線偏光に変換して第２の偏光層１８に到達する。これにより、調光装置１０を透過する光の透過率を制御することができる。なお、第２の調光板１２側から光が入射する場合も同様である。このように、調光装置１０では、第１の調光板１１、第２の調光板１２の各領域Ａ１、Ａ２、Ｂ１、Ｂ２の重なり合いにより、元の直線偏光により第２の偏光層１８、第１の偏光層１４に入射する部位の面積と、元の直線偏光と９０度偏光方向の異なる直線偏光により第２の偏光層１８、第１の偏光層１４に入射する部位の面積とが変化することになる。
【００３０】
調光装置１０では、偏光した入射光に対する光学特性が、スライド方向に対応する第１の方向で変化する第１の調光領域ＡＲ１を、この第１の方向に繰り返し備えてなるように第１の調光板１１が形成される。またこの第１の調光板１１に対応して、第２の調光板１２においては、この第１の調光板１１に対向するように保持され、第１の調光領域ＡＲ１に対応する第２の調光領域ＡＲ２を、第１の方向に対応する第２の方向に繰り返し備えるように形成される。
【００３１】
第１の調光板１１、第２の調光板１２の構成にあっては、光学特性が第１、第２の方向に沿って変化する調光領域を、この第１、第２の方向に繰り返し備えた種々の構成を適用することができる。例えば、図４に示すように、面内で偏光による透過軸をパターンニングした第１の偏光層１４、第２の偏光層１８により、第１の調光板１１、第２の調光板１２を作製してもよい。この場合、この第１の偏光層１４、第２の偏光層１８のパターンニングにより、スライド方向Ｓに対応する方向に、透過軸方向が９０度異なる領域である第１の偏光領域Ａ、第２の偏光領域Ｂを順次交互に設けるようにして、この領域Ａ及びＢにより調光領域ＡＲ１、ＡＲ２を構成するようにしてもよい。例えば、領域Ａ、Ｂの透過軸方向は、帯状領域の延長方向及び幅方向に設定される。なお、この場合、第１の位相差層１５、第２の位相差層１９は省略される。
【００３２】
調光領域ＡＲ１、ＡＲ２は、偏光による透過軸に対する遅相軸のなす角が第１の方向Ｄ１又は第２の方向Ｄ２に沿って漸次変化する領域であってもよい。
帯状領域Ａ及びＢに代えて、矩形形状による領域Ａ及びＢを市松状に配置して矩形形状により調光領域を形成する場合、菱形形状による領域Ａ、Ｂを順次交互に配置して平行四辺形形状により調光領域を形成する場合等、調光領域にあっては、種々の形状、配列を適用することができる。これらの場合、スライド方向Ｓが複数存在することがあり得る。
【００３３】
［滑り調整部材と隙間調整部材の他の実施形態］
図５〜図９は、他の実施形態に係る調光装置のスライダ（滑り調整部材）とスペーサ（隙間調整部材）を説明する図である。
図５（Ａ）に示すように、調光装置１０Ａは、調光板１１、１２にスライダ３１、３２がそれぞれ設けられており、スライダ３１の内側面（第２の調光板１２に対向する面）には、スペーサ３３が設けられている。
図５（Ｂ）に示すように、調光装置１０Ｂは、調光板１１の内側面（第２の調光板１２に対向する面）にスペーサ３３のみが設けられており、調光板１２には、スライダ３２が設けられている。
図５（Ｃ）に示すように、調光装置１０Ｃは、調光板１１の内側面（第２の調光板１２に対向する面）にスペーサ３３が設けられており、さらに、スペーサ３３を被覆するようにスライダ３１が設けられている。調光板１２には、スライダもスペーサも設けられていない。
【００３４】
図６（Ａ）に示すように、調光装置１０Ｄは、調光板１１の内側面（第２の調光板１２に対向する面）にスペーサ３３が設けられており、さらに、スペーサ３３を被覆するようにスライダ３１が設けられている。調光板１２には、内側面（第１の調光板１１に対向する面）にスペーサ３５が設けられている。
図６（Ｂ）に示すように、調光装置１０Ｅは、調光板１１の内側面（第２の調光板１２に対向する面）にスペーサ３３が設けられており、さらに、スペーサ３３を被覆するようにスライダ３１が設けられている。調光板１２の内側面（第１の調光板１１に対向する面）にスペーサ３５が設けられており、さらに、スペーサ３５を被覆するようにスライダ３２が設けられている。
図６（Ｃ）に示すように、調光装置１０Ｆは、調光板１１の内側面（第２の調光板１２に対向する面）にスペーサ３３が、外側面（第１の側壁２１ｂに対向する面）にはスペーサ３４が設けられており、さらに、スペーサ３３、３４を被覆するようにスライダ３１が設けられている。調光板１２には、スライダもスペーサも設けられていない。
図６（Ｄ）に示すように、調光装置１０Ｇは、調光板１１の内側面（第２の調光板１２に対向する面）にスペーサ３３が、外側面（第１の側壁２１ｂに対向する面）にはスペーサ３４が設けられている。調光板１２には、スライダ３２が設けられている。
【００３５】
図７（Ａ）に示すように、調光装置１０Ｈは、調光板１１の内側面（第２の調光板１２に対向する面）にスペーサ３３が、外側面（第１の側壁２１ｂに対向する面）にスペーサ３４が設けられており、さらに、スペーサ３３、３４を被覆するようにスライダ３１が設けられている。調光板１２の内側面（第２の調光板１２に対向する面）にスペーサ３５が設けられており、さらに、スペーサ３５を被覆するようにスライダ３２が設けられている。
図７（Ｂ）に示すように、調光装置１０Ｉは、調光板１１の内側面（第２の調光板１２に対向する面）にスペーサ３３が、外側面（第１の側壁２１ｂに対向する面）にスペーサ３４が設けられており、さらに、スペーサ３３，３４を被覆するようにスライダ３１が設けられている。調光板１２の外側面（第２の側壁２１ｃに対向する面）にスペーサ３６が設けられており、さらに、スペーサ３６を被覆するようにスライダ３２が設けられている。
図７（Ｃ）に示すように、調光装置１０Ｊは、調光板１１の内側面（第２の調光板１２に対向する面）にスペーサ３３が、外側面（第１の側壁２１ｂに対向する面）にスペーサ３４が設けられており、さらに、スペーサ３３、３４を被覆するようにスライダ３１が設けられている。調光板１２の内側面（第１の調光板１１に対向する面）にスペーサ３５が、外側面（第２の側壁２１ｃに対向する面）にスペーサ３６が設けられており、さらに、スペーサ３５、３６を被覆するようにスライダ３２が設けられている。
【００３６】
図８（Ａ）に示すように、調光装置１０Ｋは、調光板１１の内側面（第２の調光板１２に対向する面）にスペーサ３３のみが設けられている。調光板１２には、スライダもスペーサも設けられていない。
図８（Ｂ）に示すように、調光装置１０Ｌは、調光板１１にスライダ３１が、調光板１２にスライダ３２が設けられている。
【００３７】
図９（Ａ）に示すように、調光装置１０Ｍは、調光板１１、１２の下端部、上端部、左端部、右端部の間に、スペーサ３７ａ、３７ｂ、３７ｃ、３７ｄが挿入されている。
図９（Ｂ）に示すように、調光装置１０Ｎは、調光板１１、１２の下端部、左端部、右端部の間に、スペーサ３７ａ、３７ｃ、３７ｄが挿入されている。
図９（Ｃ）に示すように、調光装置１０Ｐは、調光板１１、１２の下端部、上端部の間に、スペーサ３７ａ、３７ｂが挿入されている。
図９（Ｄ）に示すように、調光装置１０Ｑは、調光板１１、１２の左端部、右端部の間に、スペーサ３７ｃ、３７ｄが挿入されている。
図９（Ｅ）に示すように、調光装置１０Ｒは、調光板１１、１２の下端部の間に、スペーサ３７ａが挿入されている。
【００３８】
［支持部材の他の実施形態］
図１０、図１１は、他の実施形態に係る調光装置のフレーム（支持部材）を説明する断面図である。図１０及び図１１の各断面図は、各調光板のスライド方向Ｓから見た断面図である。
図１０（Ａ）に示すように、フレーム４１Ａは、基部４２の両端に第１の壁部４３Ａ，第２の壁部４４Ａが形成されている。第１及び第２の壁部４３Ａ、４４Ａは、外壁面が上方に行くほどその外壁面間が狭くなった断面楔状をしており、使用場所や用途に応じで木目等の化粧シート４５、４５等を貼ることができる。この場合、上方が狭くなっているので、各壁部の表面に化粧シートを貼付する場合に、化粧シートの上端部を各壁部の厚みに合わせて折り曲げる加工が不要となり、好ましい。（後述するフレーム４１Ｂ，４１Ｃにおいても同様である。）
図１０（Ｂ）に示すように、フレーム４１Ｂは、基部４２の両端に第１の壁部４３Ｂ，第２の壁部４４Ｂが形成されている。第１及び第２の壁部４３Ｂ、４４Ｂは、内壁面が上方に行くほどその内壁面間が狭くなった断面楔状をしている。
図１０（Ｃ）に示すように、フレーム４１Ｃは、基部４２の両端に第１の壁部４３Ｃ，第２の壁部４４Ｃが形成されている。第１及び第２の壁部４３Ｃ、４４Ｃは、外壁面が上方に行くほどその外壁面間が狭くなるように湾曲している。
図１０（Ｄ）に示すように、フレーム４１Ｄは、基部４２の両端に第１の壁部４３Ｄ，第２の壁部４４Ｄが形成されている。第１及び第２の壁部４３Ｄ、４４Ｄは、内壁面に抜き部ｃ，ｄが形成されている。調光板のバタつきがなければ、全面で接している必要はなく、しかも、フレームの軽量化が図れる。この抜き部ｃ，ｄは、成形時の壁部の倒れ等を防止する効果もある。
図１０（Ｅ）に示すように、フレーム４１Ｅは、レール部材２１Ａ、ベース部材２１Ｂの外周に、化粧用に金属板（例えば、ＳＵＳ板）が貼られて、耐久性、意匠性を向上させている。
【００３９】
図１１に示すように、フレーム４１Ｆは、基部４２の両端に第１の壁部４３Ｆ，第２の壁部４４Ｆが形成されている。このフレーム４１Ｆは、基準面４１ｄから突出する第３の壁部４７が設けられており、第３の壁部４７は、調光板１１及び調光板１２の間に位置しており、隙間調整部材（スペーサ）の役割を果たしている。なお、基準面４１ｄは、第３の壁部４７が基準面を分離している場合でも、製造上同一面にあると考えられる限り、基準面ということができる。
【００４０】
図１２は、他の実施形態に係る調光板の光学フィルム、スペーサ、スライダ、壁部の関係を説明する断面図である。
図１２（Ａ）に示すように、この実施形態に係る調光装置５０Ａでは、第１の調光板５１は、第１の基板５３と、第１の基板５３に配置され、第１の基板５３の外形よりも小さく、第１の偏光層１４及び第１の位相差層１５を積層配置した第１の光学フィルム５４とを備えている。第２の調光板は、図示を省略するが、第２の基板と、第２の基板に配置され、第２の基板の外形よりも小さく、第２の偏光層１８及び第２の位相差層１９を積層配置した第２の光学フィルムとを備えている。第１の基板、第２の基板は、可視光領域の一部の光を透過可能であり、典型的には可視光全域にわたり透明である。第１の光学フィルム５４は、第１の基板５３の少なくとも下側縁部を露出するようにして貼付されており、スペーサ６３Ａは、第１の調光板５１に配置され、かつ、第１の光学フィルム５４の下側縁部を覆うように配置されている。
【００４１】
図１２（Ｂ）に示すように、調光装置５０Ｂでは、スペーサ６３Ｂは、第１の調光板５１の光学フィルム５４の全面に配置されており、第１の光学フィルム５４の擦れを防止できる。このとき、スペーサ６３Ｂは、第１の光学フィルム５４の上側縁部及び下側縁部を覆うように配置されている。
【００４２】
図１２（Ｃ）に示すように、調光装置５０Ｃでは、スライダ６１は、第１の調光板５１の下側縁部に延長して配置され、かつ、第１の光学フィルム５４の下側縁部を覆うように配置されている。このとき、基準面２１ｄを基準にしたとき、壁部２１ｃの上端までの距離（ｈ１）は，スペーサ６３Ｃの上端までの距離（ｈ２）よりも高く設定されている（ｈ２＜ｈ１）。このため、スペーサ６３Ｃが調光装置５０Ｃの外から見えてしまうのを防止することができる。
【００４３】
［他の実施形態］
以上、本発明の実施に好適な具体的な構成を詳述したが、本発明は、本発明の趣旨を逸脱しない範囲で、上述の実施形態の構成を種々に組み合わせることができ、また種々変更することができる。
図１の例では、調光板１１，１２は、矢印Ｓで示すように、フレーム２１の凹溝の長さ方向に移動する例で説明したが、矢印Ｓと直交する方向に移動するようにしてもよい。
調光板には、矢印Ｓ方向に移動させるときに、指で摘まめるように透明なシリコン製などの取手を着けてもよい。取手は、調光板の有効面に着けてもよいが、フレームの一部を切り欠いて、非有効面に着けるほうが好ましい。
【００４４】
すなわち上述の実施形態では、それぞれ位相差層又は偏光層を２段階でパターニングして調光領域ＡＲ１、ＡＲ２を作製する場合について述べたが、本発明はこれに限らず、調光板１１、１２における調光領域には、種々の構成を適用することができる。具体的に、２段階に代えて３段階以上により位相差層、偏光層をパターンニングして調光板１１、１２を作製するようにしてもよい。またこのような段階的な変化を、順次、循環的な変化としてもよく、光学特性の段階的な変化に代えて連続的な変化としてもよい。
【００４５】
上述の実施形態では、配向層の配向規制力により液晶材料を硬化させて位相差層を作製する場合について述べたが、本発明はこれに限らず、例えば位相差層に光配向性の液晶ポリマーを適用することにより、配向層を省略するようにしてもよい。
【００４６】
上述の実施形態では、偏光層をクロスニコルにより配置する場合について述べたが、本発明はこれに限らず、パラレルニコルにより配置するようにしてもよい。
【符号の説明】
【００４７】
１、１０、１０Ａ〜１０Ｑ、５０Ａ〜５０Ｃ  調光装置
１４Ａ、１８Ａ  直線偏光板
１５、１９  位相差層
１１、１２  調光板
１３、１７  透明基板
１４、１８  偏光層
１５Ａ、１９Ａ  位相差フィルム
２１、４１Ａ〜４１Ｅ  フレーム
４５、４６  化粧板
【図１】
2017187614.tif 000003
【図２】
2017187614.tif 000004
【図３】
2017187614.tif 000005
【図４】
2017187614.tif 000006
【図５】
2017187614.tif 000007
【図６】
2017187614.tif 000008
【図７】
2017187614.tif 000009
【図８】
2017187614.tif 000010
【図９】
2017187614.tif 000011
【図１０】
2017187614.tif 000012
【図１１】
2017187614.tif 000013
【図１２】
2017187614.tif 000014
【図１３】
2017187614.tif 000015
【図１４】
2017187614.tif 000016